(57)【要約】【課題】読み取り可能な原稿のサイズの多様化と、原稿のジャムの抑制とを、簡易な構成で可能とした読取装置を提供する。【解決手段】読取装置１の筐体１０の内部には、搬送方向の上流側から順に、一対の給紙ローラ２３，３３、一対の搬送ローラ２４，３４、及び一対の排紙ローラ２６，３６が設けられる。一対の搬送ローラ２４，３４は、一対の給紙ローラ２３，３３から搬送方向に沿って第一所定長だけ離間する。一対の排紙ローラ２６，３６は、一対の搬送ローラ２４，３４から搬送方向に沿って第二所定長だけ離間する。搬送ローラ２４と排紙ローラ３６との間には、下側に向けて凹む原稿堆積部６２が設けられる。原稿堆積部６２には、搬送方向の長さが第一所定長以上且つ第二所定長未満となる短尺原稿が堆積可能である。原稿堆積部６２に所定枚数の短尺原稿が堆積されると、読取装置１は、搬送している短尺原稿の給紙を停止して、読取動作を停止する。【選択図】図２
2017038283.tif 000002
【特許請求の範囲】
【請求項１】
所定の搬送方向へ原稿を供給する給紙ローラと、
前記給紙ローラよりも前記搬送方向の下流側に設けられ、前記給紙ローラが供給する前記原稿の画像を読み取る読取部と、
前記読取部よりも前記下流側に設けられ、前記読取部が読み取る前記原稿を前記下流側へ送る搬送ローラと、
前記搬送ローラよりも前記下流側に設けられ、前記原稿を更に前記下流側へ送る排紙ローラと
を備えた読取装置であって、
前記搬送ローラから前記排紙ローラにかけて前記原稿が搬送される搬送面に対して所定の深さを有する凹部であって、前記搬送面に対してなだらかな傾斜で前記排紙ローラに向かう下流側傾斜部と、前記下流側傾斜部より前記搬送面に対して急な傾斜で前記搬送ローラに向かう上流側傾斜部と、を備える原稿堆積部と、
前記原稿堆積部を上側から覆い、且つ前記原稿堆積部を開放可能なカバーと、
前記給紙ローラ、前記搬送ローラ、前記排紙ローラ、及び前記読取部を駆動制御し、前記原稿を読み取る読取制御手段と
を備え、
前記給紙ローラと前記搬送ローラは、前記搬送方向に沿って、第一所定長だけ離間しており、
前記排紙ローラと前記搬送ローラは、前記搬送方向に沿って、前記第一所定長よりも長い第二所定長だけ離間していることを特徴とする読取装置。
【請求項２】
前記給紙ローラが供給する前記原稿の前記搬送方向の長さである縦寸法を検出する検出手段と、
前記原稿堆積部に堆積される前記原稿の堆積量を検出する堆積量検出手段と
を備え、
前記堆積量検出手段によって検出された前記堆積量が、前記原稿堆積部に堆積した前記原稿の上端が前記搬送面の近傍となる所定堆積量に達する場合に、前記読取制御手段は、次の原稿の前記読取部への給紙を停止することを特徴とする請求項１に記載の読取装置。
【請求項３】
前記堆積量検出手段は、前記第二所定長未満且つ前記第一所定長以上となる前記縦寸法である所定縦寸法を前記検出手段が検出した回数を計数する計数手段を備え、
前記読取制御手段は、前記計数手段の計数した回数が、前記堆積量が前記所定堆積量に達していることを示す回数である場合に、前記次の原稿の前記読取部への給紙を停止することを特徴とする請求項２に記載の読取装置。
【請求項４】
前記読取制御手段は、前記検出手段によって検出された前記所定縦寸法が、前回の前記所定縦寸法とは異なる場合に、前記次の原稿の前記読取部への給紙を停止することを特徴とする請求項３に記載の読取装置。
【請求項５】
前記読取制御手段によって前記次の原稿の前記読取部への給紙が停止された場合、前記原稿の排紙を促す様に報知する報知手段を備えたことを特徴とする請求項２から４のいずれかに記載の読取装置。
【請求項６】
前記読取制御手段は、前記検出手段が検出した前記原稿の前記縦寸法が前記第二所定長未満である場合に、前記排紙ローラを停止させることを特徴とする請求項２から５のいずれかに記載の読取装置。
【請求項７】
前記検出手段は、前記読取部の読み取った画像に基づいて前記原稿の縦寸法を検出することを特徴とする請求項２から６のいずれかに記載の読取装置。
【請求項８】
前記検出手段は、前記画像に基づいて、前記原稿の前記下流側の先端と、前記原稿の上流側の後端を検出することで、前記縦寸法を検出することを特徴とする請求項７に記載の読取装置。
【請求項９】
前記読取制御手段は、前記検出手段が検出した前記原稿の前記縦寸法が前記第一所定長未満である場合、前記給紙ローラを停止し、前記原稿の前記読取部への給紙を停止することを特徴とする請求項２から８のいずれかに記載の読取装置。
【発明の詳細な説明】
【技術分野】
【０００１】
本発明は給紙された原稿の画像を読み取る読取装置に関する。
【背景技術】
【０００２】
従来、給紙された原稿の画像を読み取る読取装置が知られている。例えば、特許文献１に開示の読取装置は、給紙トレイから排紙トレイに到る搬送路に沿って搬送される原稿を、画像撮像素子によって読み取っている。読取装置の搬送路には、原稿を搬送方向へ搬送するための複数のローラが設けられる。具体的には、読取装置の搬送路には搬送方向の上流側から順に、画像撮像素子へ原稿を給紙するためのローラ、搬送方向下流側へ原稿を搬送するためのローラ、及び、原稿を排紙するためのローラ等が設けられる。
【先行技術文献】
【特許文献】
【０００３】
【特許文献１】特開２０１０−１０３５９７号公報
【発明の概要】
【発明が解決しようとする課題】
【０００４】
上記読取装置では、本体内に読み取り部、各種回路、電源、及び操作パネルなどがあり、本体内に排紙エリアは設けにくいため、複数のローラで長い搬送路を形成し、本体外（本体上部）で排紙エリアを設けている。搬送路が長くなるため、多くの搬送ローラを必要とし、部品価格が上昇するだけでなく、構造が複雑であり、搬送路で原稿がジャムを起こしやすいなど課題は多い。言い換えれば、必然的に長くなってしまう搬送路を有効利用できていないとも言える。また、読取装置では、読み取る原稿のサイズが、二種類以上となる場合が考えられるが、長い搬送路を備えていても、分別排紙ができなかったりする。また、その場合、最も小さい原稿サイズに合わせる必要があるため、各ローラ間隔は狭くなり、搬送路の長さに比してローラの数は多くなってしまい、読み取る原稿のサイズ差が大きければ大きいほど、その問題も大きくなる。
【０００５】
本発明の目的は、読み取り可能な原稿のサイズの多様化と、原稿のジャムの抑制とを、簡易な構成で可能とした読取装置を提供することである。
【課題を解決するための手段】
【０００６】
本発明に係る読取装置は、所定の搬送方向へ原稿を供給する給紙ローラと、前記給紙ローラよりも前記搬送方向の下流側に設けられ、前記給紙ローラが供給する前記原稿の画像を読み取る読取部と、前記読取部よりも前記下流側に設けられ、前記読取部が読み取る前記原稿を前記下流側へ送る搬送ローラと、前記搬送ローラよりも前記下流側に設けられ、前記原稿を更に前記下流側へ送る排紙ローラとを備えた読取装置であって、前記搬送ローラから前記排紙ローラにかけて前記原稿が搬送される搬送面に対して所定の深さを有する凹部であって、前記搬送面に対してなだらかな傾斜で前記排紙ローラに向かう下流側傾斜部と、前記下流側傾斜部より前記搬送面に対して急な傾斜で前記搬送ローラに向かう上流側傾斜部と、を備える原稿堆積部と、前記原稿堆積部を上側から覆い、且つ前記原稿堆積部を開放可能なカバーと、前記給紙ローラ、前記搬送ローラ、前記排紙ローラ、及び前記読取部を駆動制御し、前記原稿を読み取る読取制御手段とを備え、前記給紙ローラと前記搬送ローラは、前記搬送方向に沿って、第一所定長だけ離間しており、前記排紙ローラと前記搬送ローラは、前記搬送方向に沿って、前記第一所定長よりも長い第二所定長だけ離間していることを特徴とする。
【０００７】
上記構成によれば、搬送方向の長さが第二所定長さ以上となる原稿（以下、長尺原稿という）は、給紙ローラ、搬送ローラ、及び排紙ローラによって搬送される間に、読取部によって画像を読み取られる。画像を読み取られた長尺原稿は、排紙ローラよりも下流側で堆積される。一方、搬送方向の長さが第二所定長未満且つ第一所定長以上となる原稿（以下、短尺原稿という）は、給紙ローラ及び搬送ローラによって搬送される間に、読取部によって画像を読み取られる。画像を読み取られた短尺原稿は、原稿堆積部に堆積される。よって、読取装置は、読み取り可能な原稿のサイズを多様化できる。また、短尺原稿が、排紙ローラによって搬送されることなく原稿堆積部に堆積されるので、読取装置は、原稿を搬送するためのローラの個数を低減できる。よって、読取装置は構成を簡易化できる。また、ローラの個数が低減するので、読取装置は原稿のジャムを抑制できる。以上より、読み取り可能な原稿のサイズの多様化と、原稿のジャムの抑制とを、簡易な構成で可能とした読取装置が実現される。
【０００８】
前記読取装置において、前記給紙ローラが供給する前記原稿の前記搬送方向の長さである縦寸法を検出する検出手段と、前記原稿堆積部に堆積される前記原稿の堆積量を検出する堆積量検出手段とを備え、前記堆積量検出手段によって検出された前記堆積量が、前記原稿堆積部に堆積した前記原稿の上端が前記搬送面の近傍となる所定堆積量に達する場合に、前記読取制御手段は、次の原稿の前記読取部への給紙を停止してもよい。この場合、原稿堆積部に所定堆積量の原稿が堆積されると、読取装置は、次の原稿の読取部への給紙を停止する。よって、給紙ローラが供給する原稿と、原稿堆積部に堆積した短尺原稿とが干渉することで発生するジャムを、読取装置は抑制できる。
【０００９】
前記読取装置において、前記堆積量検出手段は、前記第二所定長未満且つ前記第一所定長以上となる前記縦寸法である所定縦寸法を前記検出手段が検出した回数を計数する計数手段を備え、前記読取制御手段は、前記計数手段の計数した回数が、前記堆積量が前記所定堆積量に達していることを示す回数である場合に、前記次の原稿の前記読取部への給紙を停止してもよい。この場合、読取装置は、短尺原稿の読み取り回数によって、原稿堆積部の堆積量を検出する。よって、読取装置は、原稿堆積部に原稿が過度に堆積されることを防止できる。
【００１０】
前記読取装置において、前記読取制御手段は、前記検出手段によって検出された前記所定縦寸法が、前回の前記所定縦寸法とは異なる場合に、前記次の原稿の前記読取部への給紙を停止してもよい。この場合、読取装置は、サイズの異なる短尺原稿がそれぞれ複数枚、原稿堆積部に混載されることを防止できる。
【００１１】
前記読取装置において、前記読取制御手段によって前記次の原稿の前記読取部への給紙が停止された場合、前記原稿の排紙を促す様に報知する報知手段を備えてもよい。この場合、ユーザは、読取装置の内部にある短尺原稿を取り出し、読取装置に対して新たな読取動作を迅速に実行させることができる。
【００１２】
前記読取装置において、前記読取制御手段は、前記検出手段が検出した前記原稿の前記縦寸法が前記第二所定長未満である場合に、前記排紙ローラを停止させてもよい。この場合、読取装置は、短尺原稿を搬送する場合に、排紙ローラの駆動を停止させるので、省電力化できる。
【００１３】
前記読取装置において、前記検出手段は、前記読取部の読み取った画像に基づいて前記原稿の縦寸法を検出してもよい。この場合、読取部が前記原稿の縦寸法を検出するので、読取装置は、検出する縦寸法の精度を向上できる。
【００１４】
前記読取装置において、前記検出手段は、前記画像に基づいて、前記原稿の前記下流側の先端と、前記原稿の上流側の後端を検出することで、前記縦寸法を検出してもよい。この場合、検出手段が原稿の画像に基づいて縦寸法を検出するので、読取装置は、検出する縦寸法の精度を向上できる。
【００１５】
前記読取装置において、前記読取制御手段は、前記検出手段が検出した前記原稿の前記縦寸法が前記第一所定長未満である場合、前記給紙ローラを停止し、前記原稿の前記読取部への給紙を停止してもよい。この場合、読取装置は、給紙ローラと排紙ローラとの間で原稿が滞留するジャムを抑制できる。
【図面の簡単な説明】
【００１６】
【図１】読取装置１の斜視図である。
【図２】図１のＡ−Ａ線矢視方向における読取装置１の断面図である。
【図３】読取装置１の電気ブロック図である。
【図４】読取処理のフローチャートである。
【図５】読取装置１が短尺原稿５を読み取る流れを示す説明図である。
【図６】読取装置１が長尺原稿４と短尺原稿５を分別する流れを示す説明図である。
【図７】読取装置１が短尺原稿５ａ，５ｂを読み取る流れを示す説明図である。
【発明を実施するための形態】
【００１７】
本発明の実施形態の一例である読取装置１について、図面を参照して説明する。読取装置１は、積載された原稿を一枚ずつ給紙して搬送し、搬送する過程で原稿の画像を読み取る装置である。読取装置１は、読み取った原稿の画像の画像データを作成する。以下の説明では、図１の上側、下側、左下側、右上側、左上側、及び右下側を、それぞれ、読取装置１の上側、下側、前側、後側、左側、及び右側とする。尚、図２では、読取装置１の断面図を概念的に図示する（図５〜図７も同様）。
【００１８】
図１を参照し、読取装置１の機械的な構成について説明する。読取装置１は、筐体１０、給紙トレイ１６、及び排紙トレイ１８を備える。筐体１０は、左右方向に長い略直方体状である。筐体１０の内部には、原稿を搬送して読み取るための各種の部品が設けられる。筐体１０の後端部には給紙口１０Ａが形成され、筐体１０の前端部には排紙口１０Ｂが形成される。給紙口１０Ａと排紙口１０Ｂは、いずれも、左右方向に長い略矩形状の開口部であり、筐体１０の内部と筐体１０の外部とを連通させる。排紙口１０Ｂは、給紙口１０Ａに対して前下方に配置される。
【００１９】
給紙トレイ１６は、給紙口１０Ａと近接する位置から後上方に向けて延びる板状体である。給紙トレイ１６に積載される原稿は、給紙口１０Ａから筐体１０の内部に進入可能である。排紙トレイ１８は、排紙口１０Ｂと近接する位置から前方へ延びる板状体である。排紙トレイ１８には、排紙口１０Ｂから排出される原稿が堆積可能である。
【００２０】
筐体１０は、カバー３０を備える。カバー３０は、左右方向に延びる略矩形状の板状部材である。カバー３０の一端部は、排紙口１０Ｂの右上側と左上側のそれぞれに設けられた軸部１９によって、回転可能に支持される。カバー３０は、軸部１９を中心に、閉鎖位置（図１参照）と開放位置（図５（ｃ）参照）との間を回転可能である。閉鎖位置は、カバー３０が筐体１０の内部の前側を閉鎖する回転位置である。閉鎖位置にあるカバー３０は、軸部１９から後上方に向けて延びる。開放位置は、筐体１０の内部の前側を開放する回転位置である。開放位置にあるカバー３０は、軸部１９から略上方に延びる（図５（ｃ）参照）。
【００２１】
カバー３０は、操作面３０Ａを有する。カバー３０が閉鎖位置にある場合、操作面３０Ａは前上方を向く。操作面３０Ａには、各種の情報を表示する表示部１１、及び、各種の指示を受付ける複数の操作ボタン１７等が設けられる。カバー３０のうち操作面３０Ａとは反対側の面（即ち裏面）には、表示部１１と操作ボタン１７とを制御する電気基板（図示外）が設けられる。
【００２２】
図２に示すように、筐体１０の内部であって、給紙口１０Ａと排紙口１０Ｂとの間には、原稿が搬送される空間である搬送路１３が形成されている。搬送路１３は、後上方から前下方へ向けて延びる。尚、搬送ローラ２４，３４から下流側の排紙ローラ２６，３６へ向って原稿が辿ると予想される平面を便宜上搬送面１５とする。以下、原稿が搬送される方向を「搬送方向」という。また、搬送方向のうち、給紙口１０Ａから排紙口１０Ｂへ向かう側を「下流側」といい、下流側とは反対側を「上流側」という。
【００２３】
搬送路１３には、搬送方向の上流側から順に、給紙部２１、一対の給紙ローラ２３，３３、一対の搬送ローラ２４，３４、及び一対の排紙ローラ２６，３６が設けられる。給紙部２１は、給紙ローラ２２及びリバースローラ３２を備える。給紙ローラ２２とリバースローラ３２とは、筐体１０の内部に設けられた第一モータ７１（図３参照）によって駆動される。給紙ローラ２３及び搬送ローラ２４は、筐体１０の内部に設けられた第二モータ７２（図３参照）によって駆動される。排紙ローラ２６は、筐体１０の内部に設けられた第三モータ７３（図３参照）によって駆動される。
【００２４】
給紙ローラ２２及びリバースローラ３２は、給紙口１０Ａよりも僅かに下流側の位置にて、対向配置される。給紙ローラ２２及びリバースローラ３２は、給紙トレイ１６に積載される複数枚の原稿を一枚ずつ下流側へ給紙可能である。リバースローラ３２は、ワンウェイクラッチ（図示外）を介して第一モータ７１と連結される。給紙ローラ２２とリバースローラ３２との間に原稿がない場合、又は、原稿が一枚だけある場合、リバースローラ３２は、給紙ローラ２２に従動して回転する。一方、給紙ローラ２２とリバースローラ３２との間に二枚以上の原稿がある場合、リバースローラ３２は、第一モータ７１の動力によって右側面視で反時計回りに回転する。
【００２５】
一対の給紙ローラ２３，３３は、給紙部２１よりも僅かに下流側の位置にて、対向配置される。給紙ローラ３３は、給紙ローラ２３に従動して回転する。一対の搬送ローラ２４，３４は、一対の給紙ローラ２３，３３に対して、搬送方向に沿って第一所定長（図２で示す寸法Ｌ１）だけ離間した位置にて、対向配置される。
【００２６】
一対の排紙ローラ２６，３６は、一対の搬送ローラ２４，３４に対して、搬送方向に沿って第二所定長（図２で示す寸法Ｌ２）だけ離間した位置に設けられる。第二所定長は、第一所定長よりも長い。
【００２７】
図２に示すように、搬送路１３には、上流側から順に、給紙トレイセンサ４２、給紙部センサ４４、裏面読取部４５、表面読取部４７、搬送センサ４８、堆積センサ４６、及び排紙センサ４９が設けられる。給紙トレイセンサ４２、給紙部センサ４４、搬送センサ４８、堆積センサ４６、及び排紙センサ４９は、いずれも、例えば、周知のフォトインタラプタなどの光センサである。裏面読取部４５及び表面読取部４７は、例えば、周知のコンタクトイメージセンサやＣＣＤイメージセンサである。
【００２８】
給紙トレイセンサ４２は、給紙部２１よりも上流側すぐ近くに設けられる。給紙トレイセンサ４２は、給紙トレイ１６に積載される原稿の有無を検出可能である。給紙部センサ４４は、給紙部２１と給紙ローラ２３との間の給紙部２１の近傍に設けられる。給紙部センサ４４は、給紙部２１が給紙する原稿を検出可能である。
【００２９】
裏面読取部４５、表面読取部４７、及び搬送センサ４８は、給紙ローラ２３と搬送ローラ２４の間に設けられる。裏面読取部４５は、一対の給紙ローラ２３，３３によって給紙される原稿の下面（裏面）の画像を読取可能であり、表面読取部４７は、原稿の上面（表面）の画像を読取可能である。搬送センサ４８は、表面読取部４７よりも下流側に搬送され搬送ローラ２４に到達する原稿を検出可能である。堆積センサ４６については後述する。排紙センサ４９は、一対の排紙ローラ２６，３６に向けて搬送される原稿を検出可能である。
【００３０】
図２を参照し、原稿堆積部６２について説明する。原稿堆積部６２は、搬送面１５のうち、一対の搬送ローラ２４，３４と一対の排紙ローラ２６，３６との間にある部分に対して、所定の深さを有する凹部である。原稿堆積部６２は、閉鎖位置にあるカバー３０の下方に配置される。原稿堆積部６２には、搬送方向の長さが第二所定長未満且つ第一所定長以上となる原稿が堆積される。
【００３１】
原稿堆積部６２は、堆積部６５、上流側傾斜部６６、及び下流側傾斜部６７を備える。堆積部６５は、前後方向に沿って延びる壁部である。堆積部６５の前後方向の略中央部には、堆積センサ４６が設けられる。堆積センサ４６は、原稿堆積部６２に堆積された原稿の有無を検出可能である。上流側傾斜部６６は、堆積部６５の上流側端部から上方に向けて延びる壁部であり、搬送方向に対して傾斜する。上流側傾斜部６６は、搬送面１５に近接するほど一対の搬送ローラ２４，３４に向かう。下流側傾斜部６７は、堆積部６５の下流側端部から、前上方に向けて延びる壁部であり、搬送方向に対して傾斜する。下流側傾斜部６７は、搬送面１５に近接するほど一対の排紙ローラ２６，３６に向かう。下流側傾斜部６７は、上流側傾斜部６６よりもなだらかに傾斜する。下流側傾斜部６７は、後述の長尺原稿４が搬送ローラ２４から搬送される場合、長尺原稿４の先端が搬送面１５より下側に垂れて搬送されても、徐々に排紙ローラ２６に導かれるような搬送面に対してなだらかな傾斜の斜面を有しており、堆積部６５に堆積した後述の短尺原稿５が排紙ローラ２６側に流されない程度の傾斜も持つ。上流側傾斜部６６は、逆に、短尺原稿５が搬送ローラ２４から搬送された場合、堆積部６５にスムーズに落下するような搬送面に対して急な傾斜の斜面を有している。
【００３２】
原稿堆積部６２とカバー３０との間には、ユーザの手が通過可能な空間であるアクセス空間３８が形成されている。つまり、カバー３０が開放位置まで回動した場合において、ユーザの手は、アクセス空間３８を通過して、原稿堆積部６２まで達することができ、堆積した原稿を手動排紙できる（図５（ｃ）参照）。
【００３３】
ここで、読取装置１が給紙する原稿について説明する。読取装置１が給紙する原稿は、搬送方向における長さ（以下、「縦寸法」という）によって、長尺原稿４（図６参照）、短尺原稿５（図５参照）、及び規格外原稿に区別される。長尺原稿４は、縦寸法が第二所定長以上となる原稿である。搬送面１５に沿って搬送される長尺原稿４は、原稿堆積部６２及び排紙口１０Ｂを通過して、排紙トレイ１８に積載可能である。短尺原稿５は、縦寸法が第二所定長未満、且つ第一所定長以上となる原稿である。搬送面１５に沿って搬送される短尺原稿５は、原稿堆積部６２に堆積可能である。規格外原稿は、縦寸法が第一所定長未満となる原稿である。規格外原稿は、一対の給紙ローラ２３，３３から一対の搬送ローラ２４，３４への受け渡しが不能な原稿である。以下の説明では、長尺原稿４、短尺原稿５、及び、規格外原稿を総称する場合に「原稿」という。また、原稿の下流側の端部を「先端部」といい、原稿の上流側の端部を「後端部」という。
【００３４】
図３を参照し、読取装置１の電気的な構成について説明する。読取装置１は、制御基板７０を備える。制御基板７０は、ＣＰＵ５１、ＲＯＭ５２、ＲＡＭ５３、及びフラッシュメモリ５４を備え、これらがデータバスで接続されている。ＣＰＵ５１は、読取装置１の制御を司る。ＲＯＭ５２には、ＣＰＵ５１が後述の読取処理（図４参照）等を実行するためのプログラムが記憶される。ＲＡＭ５３は、各種データを一時的に記憶する。フラッシュメモリ５４は、読取装置１が作成した画像データを記憶するための記憶エリア、読取枚数を記憶するための記憶エリア、及び短尺縦寸法を記憶するための記憶エリア等を含む。本例のフラッシュメモリ５４は、ＲＯＭ５２及びＲＡＭ５３の一部の機能を兼用する。読取枚数は、原稿堆積部６２に原稿が堆積されていない状態から、後述の読取処理において読取装置１が短尺原稿５を読み取った累積枚数である。つまり、読取枚数は、原稿堆積部６２に堆積された原稿枚数を表す。短尺縦寸法は、後述の読取処理で検出される短尺原稿５の縦寸法である。尚、ＥＥＰＲＯＭやＲＡＭ５３が、フラッシュメモリ５４の代わりに、読取枚数を記憶してもよい。また、ＲＡＭ５３が、フラッシュメモリ５４の代わりに、上述した画像データを記憶していてもよい。
【００３５】
ＣＰＵ５１は、操作ボタン１７、給紙トレイセンサ４２、給紙部センサ４４、裏面読取部４５、表面読取部４７、搬送センサ４８、堆積センサ４６、及び排紙センサ４９に接続されている。操作ボタン１７は、受付けた各種の指示をＣＰＵ５１に出力する。給紙トレイセンサ４２、給紙部センサ４４、搬送センサ４８、堆積センサ４６、及び排紙センサ４９は、それぞれ、原稿を検出した場合にＯＮ信号をＣＰＵ５１に出力し、原稿を検出しない場合にＯＦＦ信号をＣＰＵ５１に出力する。ＣＰＵ５１は、給紙トレイセンサ４２の出力結果に基づき、給紙トレイ１６に原稿が堆積されているか否かを判断する。ＣＰＵ５１は、給紙部センサ４４がＯＮ信号を出力する時間に基づいて、搬送される原稿の縦寸法を取得する。ＣＰＵ５１は、搬送センサ４８の出力結果に基づいて、短尺原稿５が原稿堆積部６２に堆積されるタイミングを取得する。ＣＰＵ５１は、排紙センサ４９の出力結果に基づいて、長尺原稿４が排紙トレイ１８に積載されるタイミングを取得する。裏面読取部４５及び表面読取部４７は、それぞれ、読み取った原稿の画像の画像データを作成し、ＣＰＵ５１に出力する。
【００３６】
また、ＣＰＵ５１は、表示部１１、スピーカ９、第一モータ７１、第二モータ７２、及び第三モータ７３に接続されている。ＣＰＵ５１は、表示部１１に所定の電気信号を入力し、各種の情報を表示させる。ＣＰＵ５１は、スピーカ９に所定の電気信号を入力し、各種の音声を発生させる。ＣＰＵ５１は、第一モータ７１を駆動制御し、給紙ローラ２２及びリバースローラ３２を回転させる。ＣＰＵ５１は、第二モータ７２を駆動制御し、給紙ローラ２３及び搬送ローラ２４を回転させる。ＣＰＵ５１は、第三モータ７３を駆動制御し、排紙ローラ２６を回転させる。
【００３７】
図４〜図７を参照し、ＣＰＵ５１が実行する読取処理について説明する。読取処理は、読取装置１が原稿を１枚ずつ搬送して読み取る場合に、ＣＰＵ５１が実行する処理である。ユーザは、給紙トレイ１６に原稿を積載する。給紙トレイセンサ４２は、ＯＦＦ信号に代えてＯＮ信号を出力する。その後、ユーザが操作ボタン１７を操作して読取開始の指示を入力する。これにより、ＣＰＵ５１は、ＲＯＭ５２に記憶されたプログラムをＲＡＭ５３に読み出して読取処理を実行する。ＣＰＵ５１は、読取処理を実行する過程で得られた各種データを、適宜ＲＡＭ５３に記憶する。
【００３８】
はじめに、図４、図５を参照し、給紙トレイ１６に積載された原稿が複数の短尺原稿５である場合を例にして、読取処理について説明する。複数枚の短尺原稿５は、いずれも互いに同じサイズであるとする。ＣＰＵ５１は、フラッシュメモリ５４に記憶される読取枚数を「０」に上書きし、且つ、フラッシュメモリ５４に記憶される短尺原稿縦寸法を消去する（Ｓ１）。そして、ＣＰＵ５１は、第一モータ７１、第二モータ７２、及び第三モータ７３を駆動制御して読取動作を開始する（Ｓ２）。
【００３９】
ＣＰＵ５１が読取動作を開始する詳細を説明する。図５（ａ）に示すように、給紙ローラ２２，２３、リバースローラ３２、搬送ローラ２４、及び排紙ローラ２６は、それぞれ、右側面視で反時計回り回転する。給紙ローラ３３は給紙ローラ２３に従動して回転し、搬送ローラ３４は搬送ローラ２４に従動して回転し、排紙ローラ３６は排紙ローラ２６に従動して回転する。給紙トレイ１６に積載された複数枚の短尺原稿５のうち、最下層にある一枚の短尺原稿５は、他の短尺原稿５から分離して、給紙ローラ２２よりも下流側へ給紙される。給紙部センサ４４は、分離された短尺原稿５の先端部を検出し、ＯＦＦ信号に代えてＯＮ信号を出力する。短尺原稿５の先端部は、一対の給紙ローラ２３，３３によって挟み込まれて搬送され、裏面読取部４５、表面読取部４７、及び搬送センサ４８を順に通過する。裏面読取部４５及び表面読取部４７は、それぞれ、短尺原稿５の下面及び上面の画像の読取りを開始する。搬送センサ４８は、短尺原稿５の先端部を検出すると、ＯＦＦ信号に代えてＯＮ信号を出力する。短尺原稿５の先端部は、一対の搬送ローラ２４，３４によって挟み込まれ、短尺原稿５の後端部は、給紙部２１から排出されて給紙部センサ４４よりも下流側まで搬送される。給紙部センサ４４は、ＯＮ信号に代えてＯＦＦ信号を出力する。このとき、ＣＰＵ５１は、第一モータ７１を駆動制御し、給紙ローラ２２とリバースローラ３２との回転を停止する。従って、給紙トレイ１６に残存する長尺原稿４は、給紙されない。
【００４０】
図４に示すように、ＣＰＵ５１は、原稿の縦寸法を検出する（Ｓ３）。ＣＰＵ５１は、給紙部センサ４４がＯＮ信号を出力していた時間を取得し、取得した時間に、原稿の搬送速度を乗じることで、原稿の縦寸法を取得する（Ｓ３）。
【００４１】
ＣＰＵ５１は、Ｓ３で検出した縦寸法と第一所定長とを比較することで、搬送される原稿が規格外原稿であるか否かを判断する（Ｓ４）。ＣＰＵ５１は、Ｓ３で検出した縦寸法が第一所定長未満である場合、搬送される原稿が規格外原稿であると判断し（Ｓ４：ＹＥＳ）、処理をＳ１７に進める。一方、ＣＰＵ５１は、検出した縦寸法が第一所定長以上である場合、搬送される原稿が規格外原稿でないと判断し（Ｓ４：ＮＯ）、処理をＳ５に進める。ＣＰＵ５１は、Ｓ３で検出した縦寸法と第二所定長とを比較することで、搬送される原稿が短尺原稿５であるか否かを判断する（Ｓ５）。ＣＰＵ５１は、Ｓ３で検出した縦寸法が第二所定長以上である場合、搬送される原稿が短尺原稿５でないと判断し（Ｓ５：ＮＯ）、処理をＳ１１に進める。一方、ＣＰＵ５１は、検出した縦寸法が第二所定長未満である場合、搬送される原稿が短尺原稿５であると判断し（Ｓ５：ＹＥＳ）、処理をＳ６に進める。例えば、ＣＰＵ５１は、短尺原稿５の縦寸法を検出した場合（Ｓ３）、搬送される原稿が規格外原稿ではなく（Ｓ４：ＮＯ）、短尺原稿５であると判断する（Ｓ５：ＹＥＳ）。
【００４２】
ＣＰＵ５１は、Ｓ３で検出した短尺原稿５の縦寸法を、短尺縦寸法としてフラッシュメモリ５４に記憶する（Ｓ６）。ＣＰＵ５１は、第三モータ７３を駆動制御して、排紙ローラ２６の回転を停止する（Ｓ７）。
【００４３】
ＣＰＵ５１は、搬送されている短尺原稿５が、直前に読み取られた短尺原稿５とは異なるサイズであるか否かを判断する（Ｓ８）。ＣＰＵ５１は、フラッシュメモリ５４に記憶される短尺縦寸法を参照し、先に搬送された短尺原稿５の縦寸法と、搬送されている短尺原稿５の縦寸法との差分が所定値未満である場合、ＣＰＵ５１は、異なるサイズではないと判断し（Ｓ８：ＮＯ）、処理をＳ９に進める。一方、算出された差分が所定値以上である場合、ＣＰＵ５１は、異なるサイズであると判断し（Ｓ８：ＹＥＳ）、処理をＳ１３に進める。所定値は例えば５ｍｍである。
【００４４】
尚、読取装置１が読み取る短尺原稿５が一枚目である場合、フラッシュメモリ５４には、搬送されている短尺原稿５の短尺縦寸法しか記憶されていない（Ｓ６）。この場合においては、ＣＰＵ５１は、搬送されている短尺原稿５が、直前に読み取られた短尺原稿５とは異なるサイズでないと判断し（Ｓ８：ＮＯ）、処理をＳ９に進める。
【００４５】
ＣＰＵ５１は、フラッシュメモリ５４に記憶される読取枚数に「１」を加算して上書きする（Ｓ９）。例えば、読取装置１が一枚目の短尺原稿５を読み取る場合、ＣＰＵ５１はフラッシュメモリ５４に記憶されていた読取枚数「０」を、「１」に上書きする（Ｓ９）。
【００４６】
ＣＰＵ５１は、フラッシュメモリ５４に記憶される読取枚数が所定枚数以上であるか否かを判断する（Ｓ１０）。所定枚数は、原稿堆積部６２に堆積される短尺原稿５の最大許容枚数である。所定枚数は例えば二十枚である。本例では、原稿堆積部６２に二十枚の短尺原稿５が堆積されると、原稿堆積部６２に堆積された最上層にある短尺原稿５の先端部は、搬送面１５の近傍に配置される（図５（ｂ）参照）。この場合において、後続の原稿が原稿堆積部６２に到達すると、後続の原稿の先端部は、原稿堆積部６２に堆積された最上層にある短尺原稿５の先端部と干渉し搬送を妨げられ、ジャムが発生する可能性がある。
【００４７】
例えば、フラッシュメモリ５４に記憶される読取枚数が「１」である場合（Ｓ９）、ＣＰＵ５１は、読取枚数が所定枚数以上ではないと判断する（Ｓ１０：ＮＯ）。
【００４８】
ＣＰＵ５１は、読取動作を終了する（Ｓ１１）。以下、ＣＰＵ５１が読取動作を終了する詳細を説明する。短尺原稿５の後端部が、搬送センサ４８よりも下流側まで搬送されると、搬送センサ４８は、ＯＮ信号に代えてＯＦＦ信号を出力する。搬送センサ４８がＯＦＦ信号を出力してから所定の時間が経過すると、短尺原稿５は、一対の搬送ローラ２４，３４から排出され、原稿堆積部６２に堆積される。堆積センサ４６は、堆積された短尺原稿５を検出し、ＯＦＦ信号に代えてＯＮ信号を出力する。堆積センサ４６は、原稿堆積部６２に短尺原稿５が堆積されている間、継続してＯＮ信号を出力する。裏面読取部４５及び表面読取部４７は、それぞれ、読み取った画像の画像データを作成して出力する。出力された画像データは、フラッシュメモリ５４に記憶される。ＣＰＵ５１は、短尺原稿５の後端部が搬送センサ４８を通過して所定の時間が経過した後、第二モータ７２の駆動を停止する。給紙ローラ２３及び搬送ローラ２４は、回転を停止する。ＣＰＵ５１は読取動作を終了する（Ｓ１１）。
【００４９】
ＣＰＵ５１は、給紙トレイ１６に後続となる原稿が積載されているか否かを判断する（Ｓ１２）。ＣＰＵ５１は、給紙トレイセンサ４２が出力する信号がＯＮ信号であるか否かを判断することで、後続となる原稿が積載されているか否かを判断する。
【００５０】
例えば、給紙トレイ１６に短尺原稿５が残存する場合、ＣＰＵ５１は後続の原稿があると判断し（Ｓ１２：ＹＥＳ）、処理をＳ２に戻す。ＣＰＵ５１は、上述したＳ２〜１２を繰り返し実行する。原稿堆積部６２には、短尺原稿５が一枚ずつ堆積される（図５（ｂ）参照）。
【００５１】
読取装置１が二十枚目の短尺原稿５を給紙する場合、ＣＰＵ５１は、上述したＳ２〜Ｓ９を実行する。ＣＰＵ５１は、フラッシュメモリ５４に記憶される読取枚数を「２０」に上書きする（Ｓ９）。ＣＰＵ５１は、フラッシュメモリ５４に記憶される読取枚数が所定枚数以上であると判断する（Ｓ１０：ＹＥＳ）。言い換えると、ＣＰＵ５１は、原稿堆積部６２に堆積された短尺原稿５の堆積量が、最大許容量に達していると判断する。
【００５２】
ＣＰＵ５１は、二十目の短尺原稿５の読取り動作を終了する（Ｓ１３）。Ｓ１３は、Ｓ１１と同様の処理である。ＣＰＵ５１がＳ１３を実行することで、二十枚目の短尺原稿５は原稿堆積部６２に堆積され、第二モータ７２は駆動を停止する（図５（ｂ）参照）。その後、ＣＰＵ５１は、次の原稿の給紙を停止し、短尺原稿５の取り出しを促す報知を実行する（Ｓ１４）。ＣＰＵ５１は、表示部１１に例えば「原稿を取出して下さい」というエラーメッセージを表示させると共に、スピーカ９に一定の時間（例えば３秒）だけ警告音を断続的に発生させる。これにより、ユーザは、原稿堆積部６２から短尺原稿５を取り出す必要があることを認識できる。
【００５３】
図５（ｃ）に示すように、ユーザが、カバー３０を開放位置まで回転させ、アクセス空間３８に手を通過させて、原稿堆積部６２に堆積された二十枚の短尺原稿５を取り出すと、堆積センサ４６はＯＮ信号に代えてＯＦＦ信号を出力する。その後、ユーザによって、カバー３０は、開放位置から閉鎖位置まで戻される。
【００５４】
ＣＰＵ５１は、給紙動作が再開可能か否かを判断する（Ｓ１５）。ＣＰＵ５１は、堆積センサ４６がＯＦＦ信号を出力しているか否かを判断することによって、給紙動作が再開可能か否かを判断する。例えば、ユーザが、二十枚の短尺原稿５のうち一枚の短尺原稿５だけ、原稿堆積部６２から取出し損ねた場合、原稿堆積部６２に一枚の短尺原稿５が残留する。この場合、堆積センサ４６がＯＮ信号を出力するので、ＣＰＵ５１は、給紙動作が再開可能ではないと判断し（Ｓ１５：ＮＯ）、処理をＳ１４に戻す。ユーザは、カバー３０を開放位置まで再び回転させ、原稿堆積部６２に残留する一枚の短尺原稿５を取り出す。
【００５５】
原稿堆積部６２に短尺原稿５が残留しない場合、堆積センサ４６がＯＦＦ信号を出力するので、ＣＰＵ５１は給紙動作が再開可能であると判断する（Ｓ１５：ＹＥＳ）。ＣＰＵ５１は、フラッシュメモリ５４に記憶される読取枚数を「０」に上書きし、処理をＳ１２に進める。
【００５６】
給紙トレイ１６から短尺原稿５がなくなるまで（Ｓ１２：ＹＥＳ）、ＣＰＵ５１は、再び処理Ｓ２〜Ｓ１２を繰り返し実行する。原稿堆積部６２に短尺原稿５が一枚ずつ堆積される。給紙トレイ１６に短尺原稿５がなくなると（Ｓ１２：ＮＯ）、ＣＰＵ５１は、読取処理を終了する。ユーザは、カバー３０を開放位置まで回動させ、原稿堆積部６２に堆積された短尺原稿５を手で取り出す。
【００５７】
次に、図４及び図６を参照し、給紙トレイ１６には、十枚の短尺原稿５が堆積され、その上に三枚の長尺原稿４が積載されている場合を例に、読取処理を説明する。尚、上記した読取処理と重複するステップについては、説明を簡略化する。
【００５８】
ＣＰＵ５１は、Ｓ１を実行した後、Ｓ２〜Ｓ１２を繰り返し実行する。給紙トレイ１６に積載されていた十枚の短尺原稿５は、順次、裏面読取部４５及び表面読取部４７で画像を読み取られ、原稿堆積部６２に堆積される（図６（ａ），（ｂ）参照）。読取装置１は、一枚目の長尺原稿４の読取動作を開始する（Ｓ２）。ＣＰＵ５１は、長尺原稿４の縦寸法を検出する（Ｓ３）。ＣＰＵ５１は、搬送される原稿が規格外原稿ではなく（Ｓ４：ＮＯ）、短尺原稿５でもないと判断する（Ｓ５：ＮＯ）。
【００５９】
ＣＰＵ５１は、読取動作を終了する（Ｓ１１）。この場合、図６（ｃ）に示すように、長尺原稿４の後端部が一対の給紙ローラ２３，３３によって排出された後、長尺原稿４の先端部は、原稿堆積部６２に堆積された短尺原稿５の上方を通過して、一対の排紙ローラ２６，３６によって挟み込まれる。このとき、排紙センサ４９は長尺原稿４を検出し、ＯＦＦ信号に代えてＯＮ信号を出力する。そして、長尺原稿４は、一対の排紙ローラ２６，３６によって搬送される。長尺原稿４の後端部は、一対の搬送ローラ２４，３４から排出されて、搬送センサ４８よりも下流側まで搬送される。搬送センサ４８は、ＯＮ信号に代えてＯＦＦ信号を出力する。裏面読取部４５及び表面読取部４７は、それぞれ、読み取った画像の画像データを作成して出力する。出力された画像データは、フラッシュメモリ５４に記憶される。長尺原稿４の後端部が排紙センサ４９を通過して所定の時間が経過すると、長尺原稿４の後端部は、一対の排紙ローラ２６，３６によって排紙トレイ１８に排出される。ＣＰＵ５１は、排紙センサ４９がＯＮ信号に代えてＯＦＦ信号を出力してから所定の時間が経過した後、第二モータ７２及び第三モータ７３の駆動を停止する。給紙ローラ２３、搬送ローラ２４、及び排紙ローラ２６は、回転を停止する。ＣＰＵ５１は読取動作を終了する（Ｓ１１）。
【００６０】
ＣＰＵ５１は、給紙トレイ１６に積載される長尺原稿４がなくなるまで（Ｓ１２：ＹＥＳ）、Ｓ２〜Ｓ５、Ｓ１１を実行する。より詳細には、ＣＰＵ５１は、Ｓ２〜Ｓ５、Ｓ１１を更に二回繰り返して実行する。排紙トレイ１８には、三枚の長尺原稿４が堆積される。給紙トレイ１６に長尺原稿４がなくなると（Ｓ１２：ＮＯ）ＣＰＵ５１は読取処理を終了する。給紙トレイ１６に積載されていた短尺原稿５と長尺原稿４は、原稿堆積部６２と排紙トレイ１８とに分別されて積載される。
【００６１】
次に、図４及び図７を参照し、サイズの異なる短尺原稿５が給紙トレイ１６に混載された場合を例にして、読取処理を説明する。以下、説明の便宜上、短尺原稿５を、短尺原稿５ａと短尺原稿５ｂとに区別して説明し、短尺原稿５ａ，５ｂを総称する場合に「短尺原稿５」という。短尺原稿５ａと短尺原稿５ｂは、互いにサイズが異なる。給紙トレイ１６には、十枚の短尺原稿５ａの上に三枚の短尺原稿５ｂが配置されている（図７（ａ）参照）。
【００６２】
ＣＰＵ５１は、Ｓ１を実行した後、Ｓ２〜Ｓ１２を繰り返し実行する。これにより、十枚の短尺原稿５ａは原稿堆積部６２に堆積される（図７（ｂ）参照）。三枚の短尺原稿５ｂが給紙トレイ１６に残存するので（Ｓ１２：ＹＥＳ）、ＣＰＵ５１は、再びＳ２〜Ｓ７を実行する。ＣＰＵ５１は、搬送されている短尺原稿５ｂが、直前に読み取られた短尺原稿５ａとは異なるサイズであるか否かを判断する（Ｓ８）。ＣＰＵ５１は、フラッシュメモリ５４に記憶される短尺縦寸法を参照し、直前に読み取られた短尺原稿５ａの縦寸法と、搬送されている短尺原稿５ｂの縦寸法との差分を算出する。算出した差分が所定値以上となるので、ＣＰＵ５１は、搬送されている短尺原稿５ｂが、直前に読み取られた短尺原稿５ａとは異なるサイズであると判断する（Ｓ８：ＹＥＳ）。ＣＰＵ５１は、短尺原稿５ｂを読み取った後（Ｓ１３）、次の原稿の給紙を中断して短尺原稿５の取り出しを促す報知を実行する（Ｓ１４）。読み取られた短尺原稿５ｂは、原稿堆積部６２にて短尺原稿５ａの上に堆積される（図７（ｃ）参照）。ユーザは、カバー３０を開放位置まで回動させ、原稿堆積部６２に堆積された短尺原稿５ａ，５ｂを取り出す。ユーザは、カバー３０を閉鎖位置まで回動させる。ＣＰＵ５１は、読取動作が再開可能だと判断し（Ｓ１５：ＹＥＳ）、フラッシュメモリ５４に記憶される読取枚数を「０」に上書きして、処理をＳ１２に進める。
【００６３】
ＣＰＵ５１は、給紙トレイ１６に残存する二枚の短尺原稿５ｂがなくなるまで（Ｓ１２：ＹＥＳ）、Ｓ２〜Ｓ１１を実行する。二枚の短尺原稿５ｂが原稿堆積部６２に堆積された後（Ｓ１２：ＮＯ）、ＣＰＵ５１は読取処理を終了する。
【００６４】
次に、図２、図４を参照し、給紙トレイ１６に規格外原稿（図示外）が一枚だけ積載された場合を例に、読取処理を説明する。ＣＰＵ５１は、Ｓ１、Ｓ２を実行した後、規格外原稿の縦寸法を検出する（Ｓ３）。ＣＰＵ５１は、搬送される原稿が規格外原稿であると判断し（Ｓ４：ＹＥＳ）、規格外原稿の給紙を停止する（Ｓ１７）。ＣＰＵ５１は第二モータ７２及び第三モータ７３を駆動制御して、搬送ローラ２４及び排紙ローラ２６の回転を停止する。一対の給紙ローラ２３，３３は、挟み込んでいた規格外原稿の、裏面読取部４５及び表面読取部４７に向けた給紙を停止する（Ｓ１７）。さらに、ＣＰＵ５１は、裏面読取部４５と表面読取部４７を停止させる。
【００６５】
ＣＰＵ５１は、規格外原稿が給紙されたことを報知する（Ｓ１８）。ＣＰＵ５１は、表示部１１に例えば「規格外原稿は給紙できませんので、取り除いてください」というエラーメッセージを表示させると共に、スピーカ９に一定の時間（例えば３秒）だけ警告音を断続的に発生させる（Ｓ１８）。ユーザは、規格外原稿が給紙されたことを認識できる。ユーザは、例えば、筐体１０のうち後上部を構成する部材を取り外すことで、規格外原稿を手動排紙することができる。
【００６６】
以上説明したように、読取装置１は、長尺原稿４及び短尺原稿５を読取可能であるので、読取可能な原稿のサイズを多様化できる。また、短尺原稿５は、排紙ローラ２６によって排紙されることなく原稿堆積部６２に堆積される。従って、短尺原稿５を排紙トレイ１８に排紙する場合と比べて、搬送面１５に沿って配置されるローラの個数は低減する。よって、読取装置１は構成を簡易化できる。また、ローラの個数が低減するので、搬送される原稿がローラと接触する回数が低減する。よって、読取装置１は原稿のジャムを抑制できる。また、原稿堆積部６２に所定枚数の短尺原稿５が堆積されると、ＣＰＵ５１は、次の原稿の給紙を停止する（Ｓ１４）。よって、給紙ローラ２３が給紙する原稿と、原稿堆積部６２に堆積した短尺原稿５とが干渉することで発生するジャムを、読取装置１は抑制できる。以上より、読み取り可能な原稿のサイズの多様化と、原稿のジャムの抑制とを、簡易な構成で可能とした読取装置１が実現される。
【００６７】
また、搬送面１５に沿って配置されるローラの個数が低減するので、読取装置１は低コスト化できる。また、短尺原稿５と長尺原稿４とが給紙トレイ１６に混載される場合であっても、読取装置１は、短尺原稿５と長尺原稿４をサイズごとに分別する。ＣＰＵ５１が一回の読取処理を実行する間に、読取装置１は、長尺原稿４と短尺原稿５とを連続して搬送できるので、読取動作を高速化できる。
【００６８】
また、ＣＰＵ５１は、フラッシュメモリ５４に記憶される読取枚数が所定枚数以上であると判断した場合（Ｓ１０：ＹＥＳ）、次の原稿の給紙動作を停止する（Ｓ１４）。読取装置１は、短尺原稿５を読み取った枚数で、原稿堆積部６２に堆積される短尺原稿５の堆積量を検出する。従って、読取装置１は、短尺原稿５の堆積量を誤検出しにくい。よって、読取装置１は、原稿堆積部６２に堆積される短尺原稿５の積載量を正確に検出できる。
【００６９】
ＣＰＵ５１は、搬送している短尺原稿５ｂの縦寸法が、直前に読取った短尺原稿５ａの縦寸法とは異なるサイズである場合に（Ｓ８：ＹＥＳ）、Ｓ９，Ｓ１０を実行することなく、次の原稿の給紙動作を停止する（Ｓ１４）。これにより、読取装置１は、サイズの異なる短尺原稿５ａ，５ｂがそれぞれ複数枚、原稿堆積部６２に混載されることを防止できる。
【００７０】
ＣＰＵ５１は、短尺原稿５の次の原稿の給紙動作を停止して、短尺原稿５の取り出しを促すように報知する（Ｓ１４）。これにより、ユーザは、読取装置１の内部にある短尺原稿５を取り出し、読取装置１に対して新たな読取動作を迅速に実行させることができる。
【００７１】
ＣＰＵ５１は、短尺原稿５の縦寸法を検出した場合（Ｓ３、Ｓ５：ＹＥＳ）、短尺原稿５を搬送しない排紙ローラ２６の回転を停止させる（Ｓ７）。第三モータ７３が駆動しないので、読取装置１は省電力化できる。
【００７２】
ＣＰＵ５１は、搬送される原稿が規格外原稿であると判断した場合（Ｓ４：ＹＥＳ）、読取装置１の給紙動作を停止する（Ｓ１７）。規格外原稿は、給紙ローラ２３，３３によって挟み込まれた状態で停止する。規格外原稿は、給紙ローラ２３，３３から排出されて、給紙ローラ２３と搬送ローラ２４との間で滞留することはない。従って、読取装置１は、規格外原稿が滞留した状態で、後続の原稿を給紙することがない。よって、規格外原稿と後続の原稿とが搬送路１３にて互いに接触して折れ曲がるジャムを、読取装置１は抑制できる。
【００７３】
上記実施形態において、給紙ローラ２３は本発明の「給紙ローラ」の一例である。裏面読取部４５及び表面読取部４７は本発明の「読取部」の一例である。搬送ローラ２４は本発明の「搬送ローラ」の一例である。排紙ローラ２６は本発明の「排紙ローラ」の一例である。長尺原稿４、短尺原稿５、及び規格外原稿は、本発明の「原稿」の一例である。
【００７４】
Ｓ３を実行するＣＰＵ５１は、本発明の「検出手段」の一例である。Ｓ９、Ｓ１０を実行するＣＰＵ５１は、本発明の「堆積量検出手段」、「計数手段」の一例である。Ｓ２、Ｓ７、Ｓ１１、Ｓ１３、Ｓ１４、Ｓ１７を実行するＣＰＵ５１は、本発明の「読取制御手段」の一例である。Ｓ１４を実行するＣＰＵ５１は、本発明の「報知手段」の一例である。
【００７５】
尚、上記実施形態は、種々の変形が可能である。読取装置１は、給紙部センサ４４を備えなくてもよい。この場合、ＣＰＵ５１は、裏面読取部４５又は表面読取部４７が読み取った原稿の画像に基づいて、当該原稿の先端部と後端部とを検出することで、その検出された両端の搬送時間から原稿の縦寸法を検出してもよい。給紙部センサ４４が設けられることなく、原稿の縦寸法が検出可能となるので、読取装置１の更なる低コスト化が実現される。また、ＣＰＵ５１が、裏面読取部４５又は表面読取部４７が読み取った原稿の画像に基づいて、原稿の縦寸法を取得するので、読取装置１は検出する縦寸法の精度を向上できる。
【００７６】
また、原稿のサイズは所定の規格に則ったサイズであることが一般的である。従って、ＣＰＵ５１は、裏面読取部４５又は表面読取部４７で読み取った原稿の画像のうち、縦寸法と直交する幅寸法を検出してもよい。この場合であっても、ＣＰＵ５１は、検出した幅寸法に対応する原稿のサイズを特定することで、特定したサイズの縦寸法を取得できる。裏面読取部４５又は表面読取部４７が読み取った画像に基づいて、原稿の縦寸法が検出されるので、読取装置１は、検出する縦寸法の精度を向上できる。また、ＣＰＵ５１が原稿の幅寸法に基づいて縦寸法を取得する場合、読取装置１は、原稿の先端部の幅寸法を検出しさえすればよい。従って、ＣＰＵ５１は、原稿の後端部が裏面読取部４５又は表面読取部４７を通過するまで待機することなく、縦寸法を取得できる。よって、読取装置１は原稿の縦寸法を取得する処理を高速化できる。
【００７７】
また、読取装置１は、給紙部センサ４４の検出結果によって原稿の縦寸法を取得し、裏面読取部４５又は表面読取部４７で読み取った原稿の画像によって幅寸法を取得してもよい。この場合、読取装置１は、搬送される原稿のサイズを精度良く特定できる。
【００７８】
また、読取装置１は、原稿堆積部６２の上流側傾斜部６６の上方の所定の場所に、反射型センサなどの光センサを備え、堆積した原稿の上端部を検出してもよい。尚、光センサは堆積した原稿の上端部を検出できる位置であれば、どこに備えていても良い。この光センサは、原稿堆積部６２に堆積された所定枚数の短尺原稿５が、搬送面１５の近傍にまで達していると検出すると、ＯＦＦ信号に代えてＯＮ信号を出力する。これにより、ＣＰＵ５１は、原稿堆積部６２に堆積された短尺原稿５が所定枚数に達しているか否かを判断できる。
【００７９】
また、給紙トレイセンサ４２、給紙部センサ４４、搬送センサ４８、堆積センサ４６、及び排紙センサ４９は、フォトインタラプタ等の光センサに代えて、例えば、接触式のフィラーセンサであってもよい。この場合、各センサは、搬送される原稿にフィラーが接触して回転した場合に、ＯＦＦ信号に代えてＯＮ信号を出力してもよい。
【００８０】
また、ＣＰＵ５１は、読取動作を開始するときに（Ｓ２）、第三モータ７３を駆動しなくてもよい。例えば、ＣＰＵ５１は、搬送される原稿が短尺原稿５ではないと判断した後に（Ｓ５：ＮＯ）、第三モータ７３を駆動して排紙ローラ２６を回転させてもよい。また、読取装置１は、必ずしも、表面読取部４７と裏面読取部４５の両方を備えなくてもよい。
【００８１】
また、筐体１０は、カバー３０を備える代わりに、下筐体と上筐体を備えてもよい。下筐体と上筐体は、互いに別部材である。下筐体は搬送路１３の下側に設けられる。下筐体の上面は、搬送方向に沿って延び、且つ搬送路１３に対して下側から対向する。上筐体は搬送路１３の上側に設けられる。この場合、上筐体は、例えば、搬送路１３の前端部の上方に設けられた軸部材によって軸支される。上筐体は、下筐体の上面を上側から覆う位置と、下筐体の上面を上方に開放する位置との間を、軸部材を中心に回転可能である。原稿堆積部６２に二十枚の短尺原稿５が堆積された場合（Ｓ１０：ＹＥＳ）、ユーザは、上筐体を回転させて、下筐体の上面を上方に開放させる。これにより、ユーザは、原稿堆積部６２に堆積された短尺原稿５を容易に手で取り出すことができる。また、規格外原稿が筐体１０の内部で停止した場合であっても（Ｓ１７、Ｓ１８）、ユーザは、規格外原稿を容易に手で取り出すことができる。
【００８２】
また、カバー３０の操作面３０Ａに、表示部１１及び操作ボタン１７が設けられなくてもよい。この場合、カバー３０の裏面には、表示部１１及び操作ボタン１７と電気的に接続する電気基板が設けられる代わりに、例えば、短尺原稿５が収容可能な箱状の収容部材が設けられてもよい。収容部材は、カバー３０が開放位置まで回転した場合、上方に向けて開口する。短尺原稿５の読み取り枚数が多いことが予想される場合、カバー３０を開放位置に位置させたままとし、カバー３０の収容部材を、短尺原稿５の一時的な収容場所として使用できる。故に読取装置１の利便性は向上する。
【００８３】
また、ＣＰＵ５１は、Ｓ８を実行しなくてもよい。この場合、原稿堆積部６２には、短尺原稿５ａ，５ｂがまとめて堆積される。
【００８４】
積載された短尺原稿５の所定枚数（二十枚）は本実施例では、短尺原稿５の先端部と搬送面１５が近接する部分で決めているが、短尺原稿５が順次積載される中で、最も先に搬送面１５に近接する場所で決めるべきなので、搬送面１５と原稿堆積部６２の構成次第では、搬送原稿の後端部で所定枚数を決めても良い。
【符号の説明】
【００８５】
１      読取装置
４      長尺原稿
５      短尺原稿
１５    搬送面
２３    給紙ローラ
２４    搬送ローラ
２６    排紙ローラ
３０    カバー
４５    裏面読取部
４７    表面読取部
５１    ＣＰＵ
６２    原稿堆積部
６６    上流側傾斜部
６７    下流側傾斜部
【図１】
2017038283.tif 000003
【図２】
2017038283.tif 000004
【図３】
2017038283.tif 000005
【図４】
2017038283.tif 000006
【図５】
2017038283.tif 000007
【図６】
2017038283.tif 000008
【図７】
2017038283.tif 000009